(57)【特許請求の範囲】
【請求項１】
路側無線装置を介して、コンテンツ情報を配信するセンター装置と車載器とがデータ送受信可能に接続された情報配信システムであって、
前記車載器は、
前記路側無線装置を介して前記センター装置と通信を行う通信手段と、
前記通信手段により前記センター装置から受信したコンテンツ情報を再生する再生手段と、
前記再生手段により再生されたコンテンツ情報についてのコメント情報を入力するための入力手段と、
前記入力されたコメント情報及び当該コメント情報の入力対象となったコンテンツ情報を識別するための識別情報を、前記センター装置に送信するアップリンク情報に含めて前記通信手段に送信させる制御手段と、
前記入力手段により入力されたコメント情報を記憶する記憶手段と、
を備え、
前記センター装置は、
前記車載器に対してアップリンク情報の送信要求を行い、前記車載器からアップリンク情報を受信した場合に、当該アップリンク情報の開放要求を前記車載器に送信し、
前記車載器の制御手段は、前記通信手段により前記センター装置からの前記送信したアップリンク情報の開放要求を受信した後、新たにアップリンク情報の送信要求を受信した場合に、前記記憶手段に記憶された前記送信されたコメント情報の続きのコメント情報を含むアップリンク情報を前記通信手段に送信させる情報配信システム。
【請求項２】
前記センター装置は、
前記路側無線装置を介して前記車載器から受信したアップリンク情報にコメント情報が含まれているか否かを判断し、コメント情報が含まれている場合に、当該コメント情報に対して付与した特典の通知情報を前記車載器に送信する請求項１に記載の情報配信システム。
【請求項３】
路側無線装置を介してコンテンツ情報を配信するセンター装置と通信を行う通信手段と、
前記通信手段により前記センター装置から受信したコンテンツ情報を再生する再生手段と、
前記再生手段により再生されたコンテンツ情報についてのコメント情報を入力するための入力手段と、
前記入力されたコメント情報及び当該コメント情報の入力対象となったコンテンツ情報を識別するための識別情報を、前記センター装置に送信するアップリンク情報に含めて前記通信手段に送信させる制御手段と、
前記入力手段により入力されたコメント情報を記憶する記憶手段と、
を備え、
前記制御手段は、前記通信手段により前記センター装置からの前記送信したアップリンク情報の開放要求を受信した後、新たにアップリンク情報の送信要求を受信した場合に、前記記憶手段に記憶された前記送信されたコメント情報の続きのコメント情報を含むアップリンク情報を前記通信手段に送信させる車載器。
【請求項４】
前記再生手段は、前記コンテンツ情報に含まれる画像データに基づいて画面を表示する表示手段を含み、
前記入力手段は、前記表示手段の画面上の押下操作を検出するタッチパネルを含み、
前記制御手段は、前記再生手段によりコンテンツ情報を再生した際に、当該コンテンツ情報についてのコメント情報を前記タッチパネルの操作により入力するためのキーボード画面を前記表示手段に表示させる請求項３に記載の車載器。
【発明の詳細な説明】
【技術分野】
【０００１】
本発明は、情報配信システム及び車載器に関する。
【背景技術】
【０００２】
従来、ナビゲーション装置のような車載器では、ＤＳＲＣ（Dedicated Short Range Communication：狭域通信）を利用して路上や駐車場等に設置された路側無線装置と無線通信を行い、当該路側無線装置を介してセンター装置から自車の周辺にある施設（例えば、店舗や医療機関等）に関するコンテンツ情報の提供を受けることが可能となっている（例えば、特許文献１参照）。
【特許文献１】特開２００７−１０９０３２号公報
【０００３】
ＤＳＲＣ通信を用いてセンター装置から車載器に情報を配信する情報配信システムでは、できるだけ配信する情報の内容を車内のユーザに合わせるため、ユーザの嗜好性や今までに視聴した広告等、コンテンツ情報の配信に関する情報をセンター装置に提供することが検討されている。この車載器からセンター装置に送信する情報は、アップリンク情報と呼ばれる。センター装置は、通信開始時に車載器から送信されるアップリンク情報に基づいて車内のユーザに適したコンテンツ情報を編成して配信する。
【発明の開示】
【発明が解決しようとする課題】
【０００４】
しかしながら、車載器からセンター装置に送信できる情報はコンテンツ配信のためにセンター装置が利用する基本的な情報に限られており、車載器のユーザからセンター装置に対して、例えば、配信されたコンテンツ情報の内容についての評価や、コンテンツ情報により案内された施設についての評価等のコメント情報を自由に発信することはできなかった。
【０００５】
本発明の課題は、車載器のユーザが、コンテンツ情報の配信を行うセンター装置に対し、受信したコンテンツ情報に関するコメント情報を車載器から発信可能とすることである。
【課題を解決するための手段】
【０００６】
上記課題を解決するため、請求項１に記載の発明は、
路側無線装置を介して、コンテンツ情報を配信するセンター装置と車載器とがデータ送受信可能に接続された情報配信システムであって、
前記車載器は、
前記路側無線装置を介して前記センター装置と通信を行う通信手段と、
前記通信手段により前記センター装置から受信したコンテンツ情報を再生する再生手段と、
前記再生手段により再生されたコンテンツ情報についてのコメント情報を入力するための入力手段と、
前記入力されたコメント情報及び当該コメント情報の入力対象となったコンテンツ情報を識別するための識別情報を、前記センター装置に送信するアップリンク情報に含めて前記通信手段に送信させる制御手段と、
前記入力手段により入力されたコメント情報を記憶する記憶手段と、
を備え、
前記センター装置は、
前記車載器に対してアップリンク情報の送信要求を行い、前記車載器からアップリンク情報を受信した場合に、当該アップリンク情報の開放要求を前記車載器に送信し、
前記車載器の制御手段は、前記通信手段により前記センター装置からの前記送信したアップリンク情報の開放要求を受信した後、新たにアップリンク情報の送信要求を受信した場合に、前記記憶手段に記憶された前記送信されたコメント情報の続きのコメント情報を含むアップリンク情報を前記通信手段に送信させる。
【０００７】
請求項２に記載の発明は、請求項１に記載の発明において、
前記センター装置は、
前記路側無線装置を介して前記車載器から受信したアップリンク情報にコメント情報が含まれているか否かを判断し、コメント情報が含まれている場合に、当該コメント情報に対して付与した特典の通知情報を前記車載器に送信する。
【０００９】
請求項３に記載の車載器は、
路側無線装置を介してコンテンツ情報を配信するセンター装置と通信を行う通信手段と、
前記通信手段により前記センター装置から受信したコンテンツ情報を再生する再生手段と、
前記再生手段により再生されたコンテンツ情報についてのコメント情報を入力するための入力手段と、
前記入力されたコメント情報及び当該コメント情報の入力対象となったコンテンツ情報を識別するための識別情報を、前記センター装置に送信するアップリンク情報に含めて前記通信手段に送信させる制御手段と、
前記入力手段により入力されたコメント情報を記憶する記憶手段と
を備え、
前記制御手段は、前記通信手段により前記センター装置からの前記送信したアップリンク情報の開放要求を受信した後、新たにアップリンク情報の送信要求を受信した場合に、前記記憶手段に記憶された前記送信されたコメント情報の続きのコメント情報を含むアップリンク情報を前記通信手段に送信させる。
【００１０】
請求項４に記載の発明は、請求項３に記載の発明において、
前記再生手段は、前記コンテンツ情報に含まれる画像データに基づいて画面を表示する表示手段を含み、
前記入力手段は、前記表示手段の画面上の押下操作を検出するタッチパネルを含み、
前記制御手段は、前記再生手段によりコンテンツ情報を再生した際に、当該コンテンツ情報についてのコメント情報を前記タッチパネルの操作により入力するためのキーボード画面を前記表示手段に表示させる。
【発明の効果】
【００１２】
本発明によれば、車載器のユーザが、コンテンツ情報の配信を行うセンター装置に対し、受信したコンテンツ情報に関するコメント情報を車載器から発信することが可能となる。
【発明を実施するための最良の形態】
【００１３】
以下、添付図面を参照して本発明に係る実施の形態を詳細に説明する。ただし、発明の範囲は、図示例に限定されない。
【００１４】
［第１の実施の形態］
まず、第１の実施の形態の構成を説明する。
【００１５】
図１に、本実施形態における情報配信システム１００を示す。
情報配信システム１００は、図１に示すように、車両Ｃに搭載された車載器１０、路側無線装置２０、センター装置３０を含んで構成され、センター装置３０が路側無線装置２０を介して車載器１０にコンテンツ情報を配信する。路側無線装置２０は路上や駐車場等に複数設置され、各路側無線装置２０はネットワークＮを介してセンター装置３０と接続されている。また、路側無線装置２０と、路上を走行する車両Ｃの車載器１０とは無線通信が可能である。
【００１６】
センター装置３０が車載器１０に配信するコンテンツ情報の内容としては、例えば、車両Ｃ周辺の店舗、駐車場、医療施設等の各種施設のサービス案内等が挙げられる。
【００１７】
以下、各構成装置について詳細に説明する。
路側無線装置２０は、図２に示すように本体装置２０ａとアンテナ２０ｂとから構成されている。路側無線装置２０は、道路脇や道路上方、駐車場、道の駅等に設置されたアンテナ２０ｂから、到達距離が限定されたＤＳＲＣの電波を放射して、路側無線装置２０近傍に相互通信エリアＺを形成する。この相互通信エリアＺ内にある車両Ｃの車載器１０とだけ双方向狭域無線通信が可能となる。以下、路側無線装置２０と車載器１０間の狭域無線通信を路車間通信という場合がある。
【００１８】
ＤＳＲＣは５．８GHz帯域の電波を使った通信方式であり、その通信範囲は例えば数メートルから数十メートルである。路側無線装置２０からのＤＳＲＣの送信出力は何れも同じ程度に設定されているので、複数の路側無線装置２０がそれぞれ形成する相互通信エリアＺは設置場所に関係なく、ほぼ一定である。
【００１９】
本体装置２０ａは、車載器１０とセンター装置３０間の情報のやりとりを仲介するための処理を行う。すなわち、アンテナ２０ｂを介して車載器１０から受信された情報をセンター装置３０に転送し、センター装置３０から送信されたコンテンツ情報を車載器１０へ転送する。本体装置２０ａは、情報処理や通信制御を行う制御部、記憶部等を備えたコンピュータ端末を適用することができる。
なお、路側無線装置２０の本体装置２０ａがセンター装置３０としての機能を一部或いは全部備えていてもよい。
【００２０】
車載器１０は、車両Ｃに搭載され、案内経路への誘導のための処理等を行うナビゲーション機能の他、ＤＳＲＣによるＥＴＣ（Electronic Toll Collection System）利用のた
めの処理を行う機能等を有している。
車載器１０は、図３に示すように、カーナビ部１、通信モジュール２、ＤＳＲＣ部３、制御部４を備えて構成されている。
【００２１】
制御部４は、ＣＰＵ（Central Processing Unit）、ＲＡＭ（Random Access Memory）
等から構成され、記憶部１ｆに記憶された制御プログラムとの協働により各種演算を行う他、各部の集中制御を行う。
例えば、路側無線装置２０との路車間通信を行う際にはＤＳＲＣ部３の通信動作を制御する。なお、ＤＳＲＣ部３の制御にあたってはＤＳＲＣ部３のＤＳＲＣ制御部３ａとの協働により制御を行う。また、ＤＳＲＣ部３を介してセンター装置３０から受信したコンテンツ情報の保存、再生制御等を行う。
【００２２】
カーナビ部１は、カーナビ制御部１ａ、現在地検出部１ｂ、地図記憶部１ｃ、入力部１ｄ、表示部１ｅ、記憶部１ｆ、音声出力部１ｇ等を備えて、車両Ｃを案内経路へ誘導するための処理を行う。
カーナビ制御部１ａは、現在地検出部１ｂから取得した現在地の情報及び地図記憶部１ｃに記憶された地図情報等に基づいて、車両Ｃの現在地から入力部１ｄを介して設定された目的地までの案内経路を算出する。そして、地図記憶部１ｃに記憶されている地図情報を用いて算出した案内経路へ誘導するための地図画面を生成し、表示部１ｅにより表示させる。
【００２３】
現在地検出部１ｂは、ＧＰＳアンテナ、角度センサ、方位センサ、距離センサ等の各種センサを備え、これらセンサによる検出結果に基づいて車両Ｃの現在地を検出する。ＧＰＳアンテナは、ＧＰＳ衛星から送信されるＧＰＳ信号を検出する。また、角度センサは移動方向の変化量を示す車の加速度（単位時間あたりの水平方向への回転速度）を検出し、方位センサは地磁気の検出を行い、車両の絶対方位を検出する。現在地検出部１ｂは、これらセンサから取得した各検出結果に基づいて車両の現在地を示す現在地情報（経度、緯度等の情報）を生成し、カーナビ制御部１ａに出力する。
【００２４】
地図記憶部１ｃは、メモリやＤＶＤ等の記録媒体から構成され、案内表示に必要な地図情報、通信モジュール２を介して受信されるガイド情報（道路情報、渋滞情報等）等を記憶している。
【００２５】
入力部１ｄは、操作キーや、表示部１ｅと一体に構成され、表示部１ｅの画面上の押下操作を検出するタッチパネル等から構成されている。入力部１ｄは、これらの操作に対応する操作信号を生成し、制御部４に出力する。
表示部１ｅは、モニタを備え、制御部４の制御に従ってモニタ上に各種情報を表示する。例えば、設定画面や地図画面、センター装置３０から受信したコンテンツ情報の表示画面等である。
【００２６】
記憶部１ｆは、不揮発メモリ等により構成され、制御部４やカーナビ制御部１ａにより実行される制御プログラム、プログラムの実行に必要なパラメータやデータ等を記憶している。
また、記憶部１ｆは、センター装置３０に提供するアップリンク情報を記憶するとともに、センター装置３０から受信したコンテンツ情報を記憶し保存する。
【００２７】
アップリンク情報は、センター装置３０において、車載器１０にどのような内容のコンテンツ情報を配信するかを決定する際に用いられる情報である。車載器１０のユーザがコンテンツ情報の配信サービスについて契約をした配信事業者が複数ある場合には、アップリンク情報は配信事業者毎に各配信事業者に応じた内容で制御部４により生成され、記憶部１ｆに記憶される。アップリンク情報は最新の内容となるように制御部４が常に更新を行って記憶部１ｆに保存させる。
【００２８】
図４に、アップリンク情報のデータ構成例を示す。図４に示すように、アップリンク情報は、「基本情報」、「過去立ち寄り地情報」、「受信／再生履歴情報」を含んで構成される。
【００２９】
「基本情報」には、「事業者コード」、「目的地情報」、「経由地情報」、「累計走行距離情報」、「嗜好ジャンルテーブルバージョン情報」、「嗜好ジャンルデータ」、「会員情報」等の項目の情報が含まれる。
【００３０】
「事業者コード」は、ユーザが予めコンテンツ情報の配信について契約した配信事業者を特定する情報である。
「目的地情報」は、カーナビ部１で設定された目的地の緯度、経度の情報であり、「経由地情報」はカーナビ部１で設定された目的地までの誘導経路において経由する地点の緯度、経度の情報である。また、「累計走行距離情報」はＤＳＲＣ部３のセットアップ（販売店などにより、車両情報を登録する作業）時点から現在までの車両Ｃの累計走行距離の情報である。
「嗜好ジャンルテーブルバージョン情報」は、「事業者コード」により特定される配信事業者から配信された嗜好ジャンルテーブルのバージョンを示す情報である。嗜好ジャンルテーブルは、予め配信事業者が準備したジャンル項目（例えば、ショッピング、グルメ、暮らし等）についての嗜好データ番号（ジャンル項目を特定する番号）やジャンル名の表示用テキスト情報等を一覧にしたテーブルであり、ユーザが嗜好するジャンルを設定する際に使用される。
「嗜好ジャンルデータ」は、ユーザが嗜好するジャンルとして設定したジャンル項目を示す情報である。嗜好ジャンルデータは、嗜好ジャンルテーブルに規定される嗜好データ番号で表されており、９６項目まで含めることができる。
【００３１】
「過去立ち寄り地情報」は、過去に車両Ｃが停車した（つまり車載器１０の電源がＯＮ又はＯＦＦされた）地点の緯度、経度の情報及び時刻情報である。
【００３２】
会員情報は、配信サービスの会員であるユーザが配信事業者に通知する各種の情報である。会員情報としては、例えば、配信されたコンテンツ情報に対するコメント情報や、配信されたコンテンツ情報に含まれる後述するＩＤ４０の詳細情報（会員に賦与したクーポン等の特典情報等）のコピー等が挙げられる。
【００３３】
受信／再生履歴情報は、センター装置３０から配信されたコンテンツ情報の情報コード（受信情報コード）及びそのコンテンツ情報を再生したか否かを示す再生識別フラグ（再生したことを示す「１」、再生しなかったことを示す「０」）により構成される情報である。
【００３４】
音声出力部１ｇは、音声処理部、Ｄ／Ａ変換器、増幅器、スピーカ等を備えて構成される。音声出力部１ｇは、制御部４から指示された音声データをＤ／Ａ変換器によりアナログ信号に変換してスピーカにより音声出力する。また、音声出力部１ｇは、制御部４から指示された表音文字列データに基づいて音声処理部により合成音声信号を生成し、スピーカにより音声出力する。
【００３５】
通信モジュール２は、光通信用、ＦＭ通信用、２．４GHz電波通信用のアンテナをそれぞれ備え、通信センターと光通信、ＦＭ通信、電波通信を行う。通信モジュール２は通信センターから渋滞情報や道路交通情報等を受信し、制御部４に出力する。通信センターとしてはＶＩＣＳセンター等を挙げることができるが、これに限らず、また、通信センターから受信する情報としては、渋滞情報や道路交通情報に限らない。
なお、通信モジュール２は他にもＷｉＭａｘ（Worldwide Interoperability for Microwave Access）等のＤＳＲＣ以外の通信手段を使用することにより、インターネット等の情報を入手することもできる。
【００３６】
ＤＳＲＣ部３は、ＤＳＲＣによるＥＴＣ利用のための処理や、センター装置３０からコンテンツ情報を受信するための通信処理等を行う。
ＤＳＲＣ部３は、図３に示すようにＤＳＲＣ制御部３ａ、通信部３ｂ、記憶部３ｃ、ＥＴＣ処理部３ｅ、ＩＣカードＩ／Ｆ３ｆを備えて構成されている。
【００３７】
ＤＳＲＣ制御部３ａは、ＣＰＵ、ＲＡＭ等から構成され、記憶部３ｃに記憶されている制御プログラムとの協働によりＤＳＲＣ部３の各部の動作を制御する。
例えば、ＥＴＣによる決済を行う際には、通信部３ｂの通信動作を制御してＥＴＣ基地局（ＥＴＣ決済を行うためにＥＴＣゲート付近等に設けられる無線基地局）と決済情報の送受信を行わせる。また、ＥＴＣ処理部３ｅにより決済情報の書き込み処理を行わせる。
また、センター装置３０からコンテンツ情報を受信する際には、制御部４の指示に従って記憶部３ｃのアップリンク情報記憶領域Ｍに記憶されている情報を、通信部３ｂにより路側無線装置２０に送信させる一方、通信部３ｂにより路側無線装置２０を介してコンテンツ情報を受信した場合にはこれを制御部４に出力する。
【００３８】
通信部３ｂは、例えば車両Ｃのダッシュボード上でフロントガラス近傍に固設されたアンテナを備え、このアンテナを介して路側無線装置２０やＥＴＣ基地局等と、ＤＳＲＣの電波の送受信を行う。
【００３９】
記憶部３ｃは、不揮発メモリ等により構成され、ＤＳＲＣ制御部３ａにより実行される制御プログラム等を記憶している。
また、記憶部３ｃにはアップリンク情報記憶領域Ｍが設けられている。アップリンク情報記憶領域Ｍは、センター装置３０に情報を提供するために専用に設けられた記憶領域であり、図４に示すアップリンク情報の他、車載器１０の特性情報（図示せず）が記憶される。
【００４０】
特性情報とは、車載器１０の機器特性に関する情報をいう。特性情報には、車載器１０の車載器ＩＤ、車載器１０が対応できる言語、地図の測地系、車載器１０が対応可能な著作権管理技術、表示部１ｅのディスプレイの解像度、ＳＶＧ（Scalable Vector Graphics）の対応、コンテンツ情報の蓄積が可能な記憶容量等の情報が含まれる。なお、車載器ＩＤは各車載器１０に固有の識別情報である。
【００４１】
アップリンク情報をセンター装置３０に送信する際のデータ形式は予め定められており、記憶部１ｆに記憶されたアップリンク情報は、上記予め定められたデータ形式に則ってアップリンク情報記憶領域Ｍに書き込まれる。アップリンク情報記憶領域Ｍは、より詳細には、５つのタグエリアが設けられており、タグ１に基本情報が、タグ２〜３に過去立ち寄り地情報が、タグ４〜５に受信／再生履歴情報が書き込まれる。センター装置３０にアップリンク情報が送信される際には、タグ１〜５に書き込まれた情報のそれぞれにタグを識別するタグ番号を付与して送信される。
【００４２】
図５に、タグ１に書き込まれる「基本情報」部分のデータ形式の一例を示す。なお、事業者コードのＢｙｔｅ数は、センター装置３０から取得された事業者コードと同一である。  
【００４３】
会員情報は、図５に示す会員情報数識別フラグ領域（４ｂｉｔ）、会員情報１〜８（それぞれ１６ｂｙｔｅ）、コメント識別フラグ領域に格納される情報により構成される。
会員情報数識別フラグは、０＝情報なし、１〜８＝会員情報数と定義されており、会員情報数識別フラグ領域には、会員情報１〜８に格納されている会員情報数に応じた数値が格納される。
会員情報１〜８領域には、会員が配信事業者に通知する任意の情報が格納される。会員が配信事業者に通知する任意の情報は、例えば、配信されたコンテンツ情報に対して入力されたコメント情報や、配信されたコンテンツ情報に含まれるＩＤ４０の詳細情報（詳細後述。クーポン情報等）のコピー等が挙げられる。
コメント識別フラグは、０＝コメント情報なし、１〜８＝会員情報１〜８と定義されており、コメント識別フラグ領域には会員情報１〜８に格納されているコメント情報数に応じた数値が格納される。
【００４４】
ＥＴＣ処理部３ｅは、ＩＣカードＩ／Ｆ３ｆに挿抜されるＩＣ付きクレジットカード又はデビットカード等に対して決済情報等の読み書きを行う。
ＩＣカードＩ／Ｆ３ｆは、上記クレジットカード等のスロットを備え、このスロットに挿入されたクレジットカード等のＩＣとＥＴＣ処理部３ｅの間で情報のやりとりを仲介する。
【００４５】
次に、センター装置３０について説明する。
センター装置３０は、コンテンツ情報を記憶し、これを車載器１０に配信する。
なお、図１では１台のセンター装置３０のみ示したが、コンテンツ情報を配信する配信事業者は複数あり、センター装置３０は配信事業者毎に備えられるものである。
図６に、センター装置３０の機能的構成を示す。
図６に示すように、センター装置３０は制御部３１、入力部３２、表示部３３、記憶部３４、通信部３５を備えて構成されている。
【００４６】
制御部３１は、ＣＰＵ、ＲＡＭ等から構成され、記憶部３４に記憶された制御プログラムとの協働により各種演算を行う他、各部の集中制御を行う。
例えば、制御部３１は記憶部３４に保存されているコンテンツ情報を読み出して編成したり、編成したコンテンツ情報の配信制御を行う。なお、編成とは配信するコンテンツ情報をアップリンク情報に基づいて選択すること等をいう。また、制御部３１は、車載器１０から取得したアップリンク情報にコメント情報が含まれている場合に車載器１０のユーザに対する特典ポイントを加算し、付与した特典の通知を行う特典加算処理等を行う。
【００４７】
入力部３２は、キーボード等を備えて操作入力を受け付け、当該操作入力に応じた操作信号を制御部３１に出力する。
表示部３３はディスプレイを備え、制御部３１の表示制御に従ってディスプレイ上に各種画面を表示する。
【００４８】
記憶部３４は、不揮発メモリやハードディスク等により構成され、制御部３１により実行されるプログラムの他、プログラムの実行に必要な各種データを記憶する。
【００４９】
また、記憶部３４は、図６に示すように、会員情報ＤＢ（Data Base）３４１、コメントＤＢ３４２を記憶している。
【００５０】
図７に、会員情報ＤＢ３４１のデータ格納例を示す。ユーザと配信事業者との間でコンテンツ情報の配信サービスに加入する契約を行う際には、会員登録が行われる。会員情報ＤＢ３４１は、この会員登録された情報や会員の取得ポイント等を格納するデータベースである。会員情報ＤＢ３４１は、図７に示すように、「レコードＮＯ．」フィールド、「車載器ＩＤ」フィールド、「会員氏名」フィールド、「住所」フィールド、「取得ポイント」フィールド等を有し、各フィールドの情報を対応付けて１レコードとして格納する。
「レコードＮＯ．」フィールドは、会員情報ＤＢ３４１においてレコードを識別するために付与された番号を格納する領域である。「車載器ＩＤ」フィールドは、会員登録されたユーザの車載器１０を識別するための車載器ＩＤを格納する領域である。「会員氏名」フィールドは、会員登録されたユーザの氏名を格納する領域である。「住所」フィールドは、会員登録されたユーザの住所を格納する領域である。「取得ポイント」フィールドは、会員登録されたユーザが取得した特典ポイント数を格納する領域である。
【００５１】
図８に、コメントＤＢ３４２のデータ格納例を示す。コメントＤＢ３４２は、車載器１０から送信されたアップリンク情報に含まれるコメント情報を格納するデータベースである。コメントＤＢ３４２は、図８に示すように、「レコードＮＯ．」フィールド、「車載器ＩＤ」フィールド、「情報コード」フィールド、「コメント」フィールド等を有し、各フィールドの情報を対応付けて１レコードとして格納する。
「レコードＮＯ．」フィールドは、コメントＤＢ３４２においてレコードを識別するために付与された番号を格納する領域である。「車載器ＩＤ」フィールドは、コメント情報を送信した車載器１０の車載器ＩＤを格納する領域である。「情報コード」フィールドは、コメント情報の入力対象となったコンテンツ情報を識別するための情報コードを格納する領域である。「コメント」フィールドは、コメント情報を格納する領域である。
【００５２】
また、記憶部３４は、コンテンツ情報の配信事業者に個別に付与されている事業者コードや、配信すべきコンテンツ情報を記憶している。コンテンツ情報は、車載器１０に配信した嗜好ジャンルデータテーブルにより規定されるジャンル項目毎に分類されている。
【００５３】
図９に、センター装置３０から配信されるコンテンツ情報のデータフォーマットの一例を示す。
コンテンツ情報は、図９に示すように、大区分番号（ＩＤ）より分類される情報がいくつかの格納可能なファイルにより構成され、提供するコンテンツの内容に応じて必要なＩＤの情報が格納されている。
【００５４】
ここで、ＩＤにより分類される情報のうち、本実施の形態に必要な主要な情報について説明する。
ＩＤ００に分類される「構成ＩＤ情報」は、当該コンテンツ情報を構成するＩＤの情報である。即ち、構成ＩＤ情報は、当該コンテンツ情報の何れのＩＤに情報が格納されているかを示す情報である。
ＩＤ０１に分類される「事業者情報」は、当該コンテンツを配信する配信事業者に関する情報であり、例えば、コンテンツを提供する配信事業者の「事業者コード」、「事業者名表示用テキスト」等が含まれる。
【００５５】
ＩＤ０２、ＩＤ０３に分類される「コンテンツ属性情報」は、当該コンテンツの属性を示す情報である。
ＩＤ０２に分類される「コンテンツ属性情報」には、例えば、コンテンツを提供する情報提供企業の「情報提供企業コード」、「情報提供企業名表示用テキスト」、コンテンツを特定するための識別情報である「情報コード」、コンテンツの内容を示す「情報タイトル表示用テキスト」、コンテンツのカテゴリを示す「嗜好データカテゴリ情報」等が含まれる。なお、「嗜好データカテゴリ情報」のカテゴリは、上述の嗜好ジャンルテーブルにより規定されるジャンル項目と同義であり、「嗜好データカテゴリ情報」は、上述の嗜好データ番号で記載される。
ＩＤ０３に分類される「コンテンツ属性情報」には、当該コンテンツを相互通信エリアＺ外でも利用可能なコンテンツとして蓄積するか、受信完了後に即時再生するかを表す識別子としての「即時／蓄積コード」が含まれる。
ＩＤ０４に分類される「有効期限情報」は、当該コンテンツの有効期限を示す情報であり、「開始年月日時分秒」、「終了年月日時分秒」等が含まれる。
【００５６】
ＩＤ１０に分類される「対象地点情報」は、当該コンテンツにより案内されるサービスが提供される地点（対象地点という）に関する情報や当該コンテンツの実データを含む。「対象地点情報」は、対象地点の緯度経度を示す「対象地点座標情報」、対象地点で提供されるサービスや店舗の名称を示す「サービス名称表示用テキスト」、サービスの説明用テキスト情報である「表示用文字データ」、サービス案内等の画面を表示するための「表示画像データ」、サービスの音声案内のための「表音文字列データ」及び「圧縮音声データ」、当該コンテンツの内容に関連する情報を提供するＷｅｂページの格納場所のアドレスを示す「ＵＲＬ情報」、対象地点以外の提携駐車場を示す「提携駐車場情報」、対象地点を地図画面上に表示する際の「アイコン表示画像データ」等が含まれる。
【００５７】
ＩＤ３０に分類される「遷移情報」は、当該コンテンツの再生の次に再生可能なコンテンツ（再生遷移先）を示す情報である。「遷移情報」により、８分岐の再生遷移が可能であり、「遷移情報」は、次に再生可能なコンテンツの情報コード（ＩＤ０２）を示す「次再生情報コード１」〜「次再生情報コード８」が含まれる。なお、画面遷移先が８未満の場合には、その遷移先の数を超える「次再生情報コード」には情報コードが格納されない。
【００５８】
ＩＤ４０に分類される「詳細情報」は、ＩＤ１０のコンテンツ（画像、音声等）の内容に関する詳細な情報である。「詳細情報」には、ＩＤ１０のコンテンツの内容を示す情報（例えば、クーポン情報、バーゲン情報であることを示すコード等）からなる「詳細情報データ」、ＩＤ１０のコンテンツの内容を示すテキスト情報である「詳細情報表示用テキスト」、ＩＤ１０のコンテンツの内容を音声出力するための「詳細情報表音文字列データ」等が含まれる。
【００５９】
センター装置３０から車載器１０に対しては、複数のコンテンツ情報が配信される。配信される複数のコンテンツ情報は階層化されており、車載器１０において、ＩＤ３０の遷移情報によって規定される階層構造に従って順次画面を遷移させてコンテンツ情報を再生できるようになっている。
【００６０】
次に、動作について説明する。
図１０〜図１１は、コンテンツ情報を配信する際におけるセンター装置３０、路側無線装置２０、車載器１０のＤＳＲＣ部３及び制御部４における処理の流れを説明するフローチャートである。
図１０に示すように、まず車両Ｃのエンジンが起動し、車載器１０の電源が投入されると（ステップＳ１）、制御部４は車載器１０の特性情報を生成し、記憶部３ｃのアップリンク情報記憶領域Ｍに書き込む（ステップＳ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの対応する領域に当該コードを書き込む。なお、実際には書き込みを指示する制御情報をＤＳＲＣ制御部３ａに出力し、このＤＳＲＣ制御部３ａがアップリンク情報記憶領域Ｍに書き込む。
【００６１】
その後、車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（ステップＳ３ａ、Ｓ３ｂ）。すなわち、ＤＳＲＣの電波を送出し、車載器１０からの応答が得られると、通信路を確立する。通信路を確立すると、路側無線装置２０はセンター装置３０に対し接続が完了した旨の通知情報を送信する（ステップＳ４ａ）。一方、車載器１０のＤＳＲＣ部３は制御部４に対し接続が完了した旨の通知情報を出力する（ステップＳ４ｂ）。
【００６２】
次いで、ＤＳＲＣ部３はアップリンク情報記憶領域Ｍに書き込まれている特性情報を路側無線装置２０に送信する（ステップＳ５）。特性情報は路側無線装置２０を介してセンター装置３０に送信される。
センター装置３０において、通信部３５により特性情報が受信されると、制御部３１は、受信した特性情報に含まれる車載器ＩＤに基づいて車載器１０のユーザが配信サービスの会員か否かを判断する（ステップＳ６）。
【００６３】
センター装置３０の制御部３１は、会員情報ＤＢ３４１に登録されている配信サービスの全会員の車載器ＩＤのうち、受信した車載器ＩＤと一致するものがなく、車載器１０のユーザが非会員であると判断すると（ステップＳ６；ＮＯ）、通信部３５により路側無線装置２０を介して非会員向けのコンテンツ情報を車載器１０に配信する（ステップＳ３８）。配信が終了すると、センター装置３０の制御部３１は、配信終了を通知するメッセージ情報を生成して車載器１０に送信し（ステップＳ３９）、センター装置３０における処理を終了する。非会員用のコンテンツ情報とは、例えば、電車の遅延情報、納税通知情報等の公共の広告情報等の一般向けの内容の情報である。
【００６４】
一方、受信した車載器ＩＤと一致する車載器ＩＤが会員情報ＤＢ３４１に登録されており、車載器１０のユーザが会員であると判断すると（ステップＳ６；ＹＥＳ）、センター装置３０の制御部３１は、通信部３５により、路側無線装置２０を介して会員用のデフォルトのコンテンツ情報を車載器１０に送信する（ステップＳ７）。会員用のデフォルトのコンテンツ情報は、例えば、コンテンツ情報の配信開始を示すＷｅｌｃｏｍｅ画面情報等である。
【００６５】
また、制御部３１は、車載器１０に対し定期的にポーリングを行って（ステップＳ８、Ｓ１１）、アップリンク情報記憶領域Ｍに書き込まれたアップリンク情報の送信を要求する。
【００６６】
路側無線装置２０を介してコンテンツ情報が受信されると、車載器１０の制御部４は、受信したコンテンツ情報に含まれる事業者コードと、記憶部１ｆに記憶されているアップリンク情報に含まれる契約した事業者の事業者コードとを照合することにより、受信されたコンテンツ情報を配信した配信事業者が契約した事業者であるか否かを判断する。受信されたコンテンツ情報を配信した配信事業者が契約した事業者ではないと判断した場合（ステップＳ９；ＮＯ）、制御部４は、センター装置３０からの配信終了を通知するメッセージ情報の受信に応じて、全てのコンテンツ情報が揃ったか否か、受信したコンテンツ情報のデータは全て正常か否か等の検査を行い（ステップＳ４０）、受信したコンテンツ情報を記憶部１ｆに保存する（ステップＳ４１）。そして、制御部４は、入力部１ｄを介して入力されるユーザの指示に応じて記憶部１ｆに保存されたコンテンツ情報を読み出して、表示部１ｅや音声出力部１ｇにより再生を行う（ステップＳ４２）。なお、コンテンツ情報の表示、再生は車載器１０のエリアアウト後も可能である。
【００６７】
一方、通信が確立したセンター装置３０における配信事業者が契約した事業者であると判断すると（ステップＳ９；ＹＥＳ）、制御部４は、当該配信事業者の事業者コードに対応するアップリンク情報を記憶部１ｆから読み出してアップリンク情報記憶領域Ｍに書き込む（ステップＳ１０）。
【００６８】
ＤＳＲＣ部３は、制御部４によりアップリンク情報の書き込みが行われると、センター装置３０からのポーリングに応じて、アップリンク情報記憶領域Ｍに記憶されているアップリンク情報を、路側無線装置２０を介してセンター装置３０に送信する（ステップＳ１２）。
【００６９】
センター装置３０において、通信部３５を介してアップリンク情報が受信されると、制御部３１は、通信部３５により路側無線装置２０を介して車載器１０にアップリンク情報開放要求を送信する（ステップＳ１３）。制御部４は、センター装置３０から送信されたアップリンク情報開放要求を路側無線装置２０を介して受信すると、ステップＳ１０においてアップリンク情報記憶領域Ｍに書き込んだアップリンク情報を削除するとともに、記憶部１ｆに記憶された過去立ち寄り地情報、受信／再生履歴情報、会員情報のうち、ステップＳ１０においてアップリンク情報記憶領域Ｍに書き込んだ情報を削除する（ステップＳ１４）。
なお、記憶部１ｆに記憶されたアップリンク済みの過去立ち寄り地情報、受信／再生履歴情報、会員情報については、削除せずにアップリンク済みであることを示すフラグ等を立てて保存するように管理してもよい。この場合、次にアップリンク情報記憶領域Ｍにアップリンク情報を書き込む際、制御部４は、アップリンク済みで内容が同じの情報は書き込まないように制御する。
【００７０】
センター装置の制御部３１は、通信部３５によりアップリンク情報を受信すると、受信したアップリンク情報の会員情報を参照し、当該受信したアップリンク情報にコメント情報が含まれているか否かを判断する（ステップＳ１５）。当該受信したアップリンク情報にコメント情報が含まれていると判断すると（ステップＳ１５；ＹＥＳ）、制御部３１は、特典加算処理を実行する（ステップＳ１６）。
【００７１】
図１２に、ステップＳ１６においてセンター装置３０の制御部３１により実行される特典加算処理を示す。
特典加算処理において、制御部３１は、受信したアップリンク情報の会員情報から情報コード及びコメント情報（コメント文字列）を取得し（ステップＳ１０１）、取得した情報をコメントＤＢ３４２に登録する（ステップＳ１０２）。
【００７２】
次いで、制御部３１は、会員情報ＤＢ３４１において、アップリンク情報の送信元車載器１０の車載器ＩＤに対応する「取得ポイント」フィールドのポイント数を加算し（ステップＳ１０３）、加算した（付与した）特典ポイント数の通知情報を通信部３５により車載器１０に送信し（ステップＳ１０４）、本処理を終了する。
例えば、受信したアップリンク情報に含まれるコメント情報数やコメントの文字数に応じた特典ポイント数が予め定められており、制御部３１は、会員情報ＤＢ３４１において、アップリンク情報の送信元車載器１０の車載器ＩＤに対応する「取得ポイント」フィールドに、受信したアップリンク情報に含まれるコメント情報数やコメントの文字数に応じたポイント数を加算する。アップリンク情報に含まれる会員情報１〜８にコメントが書き込まれた際には、最初の上位所定Ｂｙｔｅ（ここでは５Ｂｙｔｅ）にコメントの入力対象となったコンテンツ情報の情報コードが書き込まれ、次のＢｙｔｅには情報コードとコメントの文字列との間には区切り記号である「，」が含まれるので（図１６参照）、会員情報１〜８の上位所定Ｂｙｔｅ目に含まれる区切り記号をカウントすることにより会員情報に含まれるコメント情報数を取得することができる。
特典ポイント数の通知情報は、例えば、「○○ポイントが加算されました」等のメッセージが表示された通知画面を表示するためのコンテンツ情報として送信される。なお、通知画面のコンテンツ情報のＩＤ４０の詳細情報に特典ポイントに応じたクーポン情報等の特典情報を記載して、車載器１０に送信するようにしてもよい。
【００７３】
また、センター装置３０の制御部３１は、受信されたアップリンク情報に基づいて配信するコンテンツ情報を編成し、通信部３５により路側無線装置２０を介して車載器１０に配信する（ステップＳ１７）。
ステップＳ１７においては、例えば、受信したアップリンク情報の嗜好ジャンルデータ等を参照し、記憶部３４に記憶されているコンテンツ情報のうちユーザが嗜好するジャンル項目に分類されるコンテンツ情報等を配信するコンテンツとして選択し、該当するコンテンツ情報を記憶部３４から読み出して順次車載器１０に配信する。
【００７４】
コンテンツ情報の配信が終了すると、センター装置３０の制御部３１は、配信終了を通知するメッセージ情報を生成し、通信部３５により路側無線装置２０を介して車載器１０に送信する（ステップＳ１８）。
【００７５】
車載器１０において、センター装置３０から配信されたコンテンツ情報及び配信終了通知を路側無線装置２０を介して受信すると、車載器１０の制御部４は、全てのコンテンツ情報が揃ったか否か、受信したコンテンツ情報のデータは全て正常か否か等の検査を行い（ステップＳ１９）、受信したコンテンツ情報を記憶部１ｆに保存するとともに、記憶部１ｆに受信履歴を記憶する（ステップＳ２０）。具体的には、記憶部１ｆに記憶されている当該事業者コードに対応するアップリンク情報に、受信したコンテンツ情報の受信情報コードを書き込む。
【００７６】
コンテンツ情報を保存すると、制御部４は、入力部１ｄにより入力されるユーザの指示に応じてコンテンツ再生処理を実行する（ステップＳ２１）。
図１３に、ステップＳ２１において車載器１０の制御部４により実行されるコンテンツ再生処理を示す。
コンテンツ再生処理において、制御部４は、まず、受信した１つのコンテンツ情報を読み出す（ステップＳ２０１）。処理開始時には、受信したコンテンツ情報のうち最上位階層のコンテンツ情報を検索して読み出す。
【００７７】
次いで、制御部４は、コンテンツに対するコメントを書き込む指示をユーザが入力するための「コメント入力」ボタンＢ１を作成し（ステップＳ２０２）、「コメント入力」ボタンＢ１を含むコンテンツ情報の再生を行う（ステップＳ２０３）。具体的に、読み出されたコンテンツ情報の「表示用文字データ」、「表示画像データ」に基づいて表示部１ｅに画面を表示するとともに、表示された画面上の所定の位置に「コメント入力」ボタンＢ１を表示する。「コメント入力」ボタンＢ１の作成はコンテンツ情報再生後、画面Ｇ１の何れかをタッチ指示された場合を切っ掛けに「コメント入力」ボタンＢ１の作成を開始しても良い。また、「表音文字列データ」に基づいて音声出力部１ｇにより音声を出力する。図１４に、ステップＳ２０３において表示部１ｅに表示される画面Ｇ１の一例を示す。
【００７８】
次いで、制御部４は、記憶部１ｆに記憶されているアップリンク情報における当該コンテンツ情報の情報コードに対応する再生識別フラグに「１」を設定することによって再生履歴を保存する（ステップＳ２０４）。
【００７９】
入力部１ｄにより「コメント入力」ボタンＢ１が押下され、コメントを書き込む指示が入力されると（ステップＳ２０５；ＹＥＳ）、制御部４は、入力インターフェース画面Ｇ２を表示部１ｅに表示する（ステップＳ２０６）。
【００８０】
図１５に、ステップＳ２０６において表示される入力インターフェース画面Ｇ２の一例を示す。図１５に示すように、例えば、コメント情報を入力するためのキーボート等により構成される入力インターフェース画面Ｇ２が表示される。
【００８１】
入力インターフェース画面Ｇ２に従って、入力部１ｄによりコメント情報が入力されると（ステップＳ２０７）、制御部４は、ステップＳ２０３において再生したコンテンツ情報の情報コード及び入力されたコメント情報（コメント文字列）をセンター装置３０から通知された事業者コードの配信事業者についてのアップリンク情報の会員情報として記憶部１ｆに記憶し（ステップＳ２０８）、ステップＳ２０９の処理に移行する。
【００８２】
ステップＳ２０５において、入力部１ｄによりコメント書き込みが指示されない場合（ステップＳ２０５；ＮＯ）、ステップＳ２０９の処理に移行する。
【００８３】
ステップＳ２０９においては、制御部４は、入力部１ｄにより次のコンテンツ情報の再生が指示されたか否かを判断する。次のコンテンツ情報の再生が指示されたと判断すると（ステップＳ２０９；ＹＥＳ）、ステップＳ２０１の処理に戻り、ステップＳ２０１以降の処理を繰り返し実行する。入力部１ｄにより次のコンテンツ情報の再生が所定時間内に指示されていないと判断するもしくはユーザにより再生の終了を指示されると（ステップＳ２０９；ＮＯ）、制御部４は、本処理を終了する。
【００８４】
一方、センター装置３０の制御部３１は、通信部３５により、路側無線装置２０を介して車載器１０に対し定期的にポーリングを行って（図１１ステップＳ２２、Ｓ２４）、アップリンク情報記憶領域Ｍに書き込まれたアップリンク情報の送信を要求する。
【００８５】
車載器１０の制御部４は、コンテンツ再生処理が終了すると、センター装置３０から通知された事業者コードに対応するアップリンク情報を記憶部１ｆから読み出してアップリンク情報記憶領域Ｍに書き込む（ステップＳ２３）。このステップＳ２３により、コンテンツ再生処理で書き込まれたコメント情報がアップリンク情報記憶領域Ｍに書き込まれる。
【００８６】
図１６に、アップリンク情報記憶領域Ｍの会員情報領域１〜８へのデータ書き込みの一例を示す。図１６に示すように、まず、コメントの対象となったコンテンツ情報の情報コードが会員情報１〜８の空き領域の上位所定Ｂｙｔｅ（ここでは、５Ｂｙｔｅ）に書き込まれ、次いで、区切り記号「，」が書き込まれ、区切り記号に続いてコメントの文字情報が書き込まれる。文字数が多い場合は、次の会員情報欄に跨って書きまれる。なお、会員情報１〜８においては、合計１２８ｂｙｔｅの情報しか書き込みできず、１回のセンター装置３０へのアップリンク情報の送信により、情報コードとコメント情報を合わせて最大１２８Ｂｙｔｅの情報しかセンター装置３０に送信することができないが、文字数が多い場合は、センター装置３０に複数回アップリンク情報を送信することで、文字数の多いコメント情報にも対応することができる。
【００８７】
ＤＳＲＣ部３は、制御部４によりアップリンク情報の書き込みが行われると、センター装置３０からのポーリングに応じて、アップリンク情報記憶領域Ｍに記憶されているアップリンク情報を、路側無線装置２０を介してセンター装置３０に送信する（ステップＳ２５）。
【００８８】
センター装置３０において、通信部３５を介してアップリンク情報が受信されると、制御部３１は、通信部３５により路側無線装置２０を介して車載器１０にアップリンク情報開放要求を送信する（ステップＳ２６）。制御部４は、センター装置３０から送信されたアップリンク情報開放要求を路側無線装置２０を介して受信すると、ステップＳ２３においてアップリンク情報記憶領域Ｍに書き込んだアップリンク情報を削除するとともに、記憶部１ｆに記憶された過去立ち寄り地情報、受信／再生履歴情報、会員情報のうち、ステップＳ２３においてアップリンク情報記憶領域Ｍに書き込んだ情報を削除する（ステップＳ２７）。
【００８９】
センター装置３０の制御部３１は、通信部３５によりアップリンク情報を受信すると、受信したアップリンク情報の会員情報を参照し、当該アップリンク情報にコメント情報が含まれているか否かを判断する（ステップＳ２８）。当該受信したアップリンク情報にコメント情報が含まれていると判断すると（ステップＳ２８；ＹＥＳ）、制御部３１は、図１２に示す特典加算処理を実行する（ステップＳ２９）。ここで、文字数の多いコメント情報の場合、複数回のアップリンク情報の送信によってコメントの全文が送信されてくるが、情報コードは図１６に示すように１つのコメント情報のはじめに１つ付加されるので、ステップＳ１６で説明したように、ユーザのコメント情報数に応じて特典ポイントを加算する場合、アップリンク情報に含まれる情報コード数（或いは区切り記号数）をカウントすることにより、重複無く特典ポイントを加算することができる。例えば、今回受信したコメント情報が途中で切れていた場合、今回の特典加算処理でポイントが加算されるが、次回受信時は今回の続きのコメント情報にはポイントが情報コードが含まれないため特典ポイントは加算されない。なお、コメント情報の文字列の最後にコメントが終了したことを示す識別子（例えば、「；」等）を送ることとし、コメント情報を全て受信した時点で特典ポイントを加算することとしてもよい。
【００９０】
また、センター装置３０の制御部３１は、通信部３５により、路側無線装置２０を介して車載器１０に対し定期的にポーリングを行って（ステップＳ３０、Ｓ３２）、アップリンク情報記憶領域Ｍに書き込まれたアップリンク情報の送信を要求する。
【００９１】
車載器１０の制御部４は、ステップＳ２７におけるアップリンク情報の削除が終了すると、センター装置３０から通知された事業者コードに対応するアップリンク情報を記憶部１ｆから読み出してアップリンク情報記憶領域Ｍに書き込む（ステップＳ３１）。このステップＳ３１により、コンテンツ再生処理で書き込まれたコメント情報がステップＳ２３で送信しきれなかった場合、まだ送信されていない続きのコメント情報がアップリンク情報記憶領域Ｍに書き込まれる。
【００９２】
ＤＳＲＣ部３は、制御部４によりアップリンク情報の書き込みが行われると、センター装置３０からのポーリングに応じて、アップリンク情報記憶領域Ｍに記憶されているアップリンク情報を、路側無線装置２０を介してセンター装置３０に送信する（ステップＳ３３）。
【００９３】
センター装置３０において、通信部３５を介してアップリンク情報が受信されると、制御部３１は、通信部３５により路側無線装置２０を介して車載器１０にアップリンク情報開放要求を送信する（ステップＳ３４）。制御部４は、センター装置３０から送信されたアップリンク情報開放要求を路側無線装置２０を介して受信すると、ステップＳ３１においてアップリンク情報記憶領域Ｍに書き込んだアップリンク情報を削除するとともに、記憶部１ｆに記憶された過去立ち寄り地情報、受信／再生履歴情報、会員情報のうち、ステップＳ３１においてアップリンク情報記憶領域Ｍに書き込んだ情報を削除する（ステップＳ３５）。
【００９４】
センター装置３０の制御部３１は、通信部３５によりアップリンク情報を受信すると、受信したアップリンク情報の会員情報を参照し、当該アップリンク情報にコメント情報が含まれているか否かを判断する（ステップＳ３６）。当該受信したアップリンク情報にコメント情報が含まれていると判断すると（ステップＳ３６；ＹＥＳ）、制御部３１は、図１２に示す特典加算処理を実行する（ステップＳ３７）。
【００９５】
以降、車載器１０が相互通信エリアＺ外に移動することにより（エリアアウト）一定時間以上路側無線装置２０との通信が途絶えるまで、ステップＳ３０〜Ｓ３７の処理が繰り返し実行される。車載器１０が相互通信エリアＺ外に移動することにより（エリアアウト）一定時間以上通信が途絶えると、コンテンツ情報配信の一連の処理は終了する。
【００９６】
以上説明したように、第１の実施の形態によれば、車載器１０は、センター装置３０から受信したコンテンツ情報を再生した際に、入力部１ｄにより当該コンテンツ情報についてのコメントの入力が指示されると、当該コンテンツ情報についてのコメント情報を入力するためのキーボードが表示された入力インターフェース画面Ｇ２を表示部１ｅに表示し、入力されたコメント情報及び当該コメント情報の入力対象となったコンテンツ情報を識別するための情報コードを、センター装置３０に送信するアップリンク情報の会員情報に含めてセンター装置３０に送信する。
【００９７】
従って、車載器のユーザが、コンテンツ情報の配信を行うセンター装置に対し、受信したコンテンツ情報に関するコメント情報を車載器から発信することが可能となる。
【００９８】
また、センター装置３０は、車載器１０から受信したアップリンク情報にコメント情報が含まれているか否かを判断し、コメント情報が含まれている場合に、送信元車載器１０のユーザにコメント情報に対する特典ポイントを加算し、加算した特典ポイント数の通知情報を車載器１０に送信する。
【００９９】
従って、コンテンツ情報に対するコメント情報を入力してくれたユーザに特典ポイントを付与することが可能となり、配信事業者は、会員へのサービスを向上させることができる。
【０１００】
また、車載器１０は、入力されたコメント情報を記憶部１ｆに記憶しておき、センター装置３０から以前送信したアップリンク情報開放要求を受信した後、新たにポーリングを受信した場合に、記憶部１ｆに記憶された、送信済みのコメント情報の続きのコメント情報を含むアップリンク情報をＤＳＲＣ部３によりセンター装置３０に送信する。
【０１０１】
従って、文字数の多いコメント情報が入力されても、センター装置３０に送信することができる。
なお、受信したコンテンツ情報の再生は、相互通信エリアＺ外でも行うことができる。相互通信エリアＺ外で図１３に示すコンテンツ再生処理が実行されてコメント情報が入力された場合、入力されたコメント情報は情報コードと対応付けて記憶部１ｆに保存されるので、次にエリアインしたときに入力されたコメント情報がアップリンク情報の会員情報１〜８に書き込まれて送信される。
また、上記実施の形態においては、全てのコンテンツ情報のなかからユーザが所望するコンテンツ情報にコメントが入力できる構成としたが、コメント入力対象のコンテンツ情報をセンター装置３０で予め定めてコメント入力対象のコンテンツ情報にその旨を示すフラグを立てて送信するようにしてもよい。そして、車載器１０においては、コメント入力対象のコンテンツ情報に対してコメント入力ボタンＢ１を表示するようにしてもよい。このようにすれば、配信事業者はコメントを希望するコンテンツ情報に対してのみコメント情報を収集することが可能となる。
【０１０２】
また、上記実施の形態においては、コメント情報として文章を入力する場合を例にとり説明したが、ＩＤ１０の表示画像データ、表音列データ、音声データ等に、コメントに対応するコードを含ませ、そのコードをユーザが入力するようにしてもよい。例えば、図１４のコンテンツを表示している場合に、このコンテンツについて、「一番近いと思われるコメントを入力してください。Ａとても役に立ったＢ面白かったＣ役に立たなかった」と音声出力し、ユーザはその選択岐として例えば「Ａ」とコメントを入力することにより、コメント情報の入力としてもよい。或いは、評価点を入力するようにしてもよい。例えば、図１４のコンテンツについて「本コンテンツについての評価点を入力してください」と音声出力し、ユーザが「８０」と入力することでもよい。なお、コンテンツ情報が表示画像データの場合は、画面に選択岐や評価点を促す内容の文章が表示されることとなる。
【０１０３】
［第２の実施の形態］
以下、本発明に係る第２の実施の形態について説明する。
まず、第２の実施の形態の構成を説明する。
第２の実施の形態における各装置の構成、及びコンテンツ情報、アップリンク情報のデータ構成は第１の実施の形態と略同様であるので説明を援用し、第１の実施の形態と異なる部分について説明する。
【０１０４】
第２の実施の形態において、センター装置３０の記憶部３４は、第１の実施の形態で説明したように、制御部３１により実行されるプログラム、プログラムの実行に必要な各種データ、コンテンツ情報の配信事業者に個別に付与されている事業者コード、配信すべきコンテンツ情報、会員ＤＢ３４１を記憶している他、アンケートＤＢ３４３を記憶している。アンケートＤＢ３４３は、車載器１０のユーザに対して実施するアンケートについての情報を格納するデータベースである。
【０１０５】
図１７に、アンケートＤＢ３４３のデータ格納例を示す。図１７に示すように、アンケートＤＢ３４３は、「レコードＮＯ．」フィールド、「アンケート該当情報コード」フィールド、「アンケート画面情報コード」フィールド、「ＹＥＳ」フィールド、「ＮＯ」フィールド等を有し、各フィールドの情報を対応付けて１レコードとして格納する。「レコードＮＯ．」フィールドは、アンケートＤＢ３４３においてレコードを識別するために付与された番号を格納する領域である。「アンケート該当情報コード」フィールドは、アンケートの実施対象となるコンテンツ情報の情報コードを格納する領域である。「アンケート画面情報コード」フィールドは、アンケートの実施対象となるコンテンツ情報を再生したユーザに対して送信すべきコンテンツ情報（アンケート画面のコンテンツ情報）の情報コードを格納する領域である。「ＹＥＳ」フィールドは、アンケート画面のアンケートに対し「ＹＥＳ」と回答した人数を格納する領域である。「ＮＯ」フィールドは、アンケート画面のアンケートに対し「ＮＯ」と回答した人数を格納する領域である。
【０１０６】
また、センター装置３０及び車載器１０は、ＩＴＳ情報通信システム推進会議にあるＩＴＳ  ＦＯＲＵＭ  ＲＣ−００４により規定された車載器指示応答アプリケーションによる通信機能を搭載しており、路側無線装置２０を介してセンター装置３０から車載器１０に対して確認要求コマンド（詳細後述）を通知したり、車載器１０における確認要求コマンドに対する確認応答コマンドをセンター装置３０に送信したりすることが可能である。
【０１０７】
次に、第２の実施の形態における情報配信システム１００の各装置間における動作について説明する。
【０１０８】
図１８〜図１９は、コンテンツ情報を配信する際におけるセンター装置３０、路側無線装置２０、車載器１０のＤＳＲＣ部３及び制御部４における処理の流れを説明するフローチャートである。
図１８に示すように、まず車両Ｃのエンジンが起動し、車載器１０の電源が投入されると（ステップＴ１）、制御部４は車載器１０の特性情報を生成し、記憶部３ｃのアップリンク情報記憶領域Ｍに書き込む（ステップＴ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの対応する領域に当該コードを書き込む。なお、実際には書き込みを指示する制御情報をＤＳＲＣ制御部３ａに出力し、このＤＳＲＣ制御部３ａがアップリンク情報記憶領域Ｍに書き込む。
【０１０９】
その後、車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（ステップＴ３ａ、Ｔ３ｂ）。すなわち、ＤＳＲＣの電波を送出し、車載器１０からの応答が得られると、通信路を確立する。通信路を確立すると、路側無線装置２０はセンター装置３０に対し接続が完了した旨の通知情報を送信する（ステップＴ４ａ）。一方、車載器１０のＤＳＲＣ部３は制御部４に対し接続が完了した旨の通知情報を出力する（ステップＴ４ｂ）。
【０１１０】
次いで、ＤＳＲＣ部３はアップリンク情報記憶領域Ｍに書き込まれている特性情報を路側無線装置２０に送信する（ステップＴ５）。特性情報は路側無線装置２０を介してセンター装置３０に送信される。
センター装置３０において、通信部３５により特性情報が受信されると、制御部３１は、受信した特性情報に含まれる車載器ＩＤに基づいて車載器１０のユーザが配信サービスの会員か否かを判断する（ステップＴ６）。
【０１１１】
センター装置３０の制御部３１は、会員情報ＤＢ３４１に登録されている情報配信サービスの全会員の車載器ＩＤのうち、受信した車載器ＩＤと一致するものがなく、車載器１０のユーザが非会員であると判断すると（ステップＴ６；ＮＯ）、通信部３５により路側無線装置２０を介して非会員向けのコンテンツ情報を車載器１０に配信する（ステップＴ３２）。配信が終了すると、センター装置３０の制御部３１は、配信終了を通知するメッセージ情報を生成して車載器１０に送信し（ステップＳ３３）、センター装置３０における処理を終了する。非会員用のコンテンツ情報とは、例えば、電車の遅延情報、納税通知情報等の公共の広告情報等の一般向けの内容の情報である。
【０１１２】
一方、受信した車載器ＩＤと一致する車載器ＩＤが会員情報ＤＢ３４１に登録されており、車載器１０のユーザが会員であると判断すると（ステップＴ６；ＹＥＳ）、センター装置３０の制御部３１は、通信部３５により、路側無線装置２０を介して会員用のデフォルトのコンテンツ情報を車載器１０に送信する（ステップＴ７）。会員用のデフォルトのコンテンツ情報は、例えば、コンテンツ情報の配信開始を示すＷｅｌｃｏｍｅ画面情報等である。
【０１１３】
また、制御部３１は、車載器１０に対し定期的にポーリングを行って（ステップＴ８、Ｔ１１）、アップリンク情報記憶領域Ｍに書き込まれたアップリンク情報を要求する。
【０１１４】
路側無線装置２０を介してコンテンツ情報が受信されると、車載器１０の制御部４は、受信したコンテンツ情報に含まれる事業者コードと、記憶部１ｆに記憶されているアップリンク情報に含まれる事業者コードとを照合することにより、受信されたコンテンツ情報を配信した配信事業者が契約した事業者であるか否かを判断する。受信されたコンテンツ情報を配信した配信事業者が契約した事業者ではないと判断した場合（ステップＴ９；ＮＯ）、制御部４は、センター装置３０からの配信終了を通知するメッセージ情報の受信に応じて、全てのコンテンツ情報が揃ったか否か、受信したコンテンツ情報のデータは全て正常か否か等の検査を行い（ステップＴ３４）、受信したコンテンツ情報を記憶部１ｆに保存する（ステップＴ３５）。そして、制御部４は、入力部１ｄを介して入力されるユーザの指示に応じて記憶部１ｆに保存されたコンテンツ情報を読み出して、表示部１ｅや音声出力部１ｇにより再生を行う（ステップＴ３６）。なお、コンテンツ情報の表示、再生は車載器１０のエリアアウト後も可能である。
【０１１５】
一方、受信されたコンテンツ情報を配信した配信事業者が契約した事業者であると判断すると（ステップＴ９；ＹＥＳ）、制御部４は、当該配信事業者の事業者コードに対応するアップリンク情報を記憶部１ｆから読み出してアップリンク情報記憶領域Ｍに書き込む（ステップＴ１０）。
【０１１６】
ＤＳＲＣ部３は、制御部４によりアップリンク情報の書き込みが行われると、センター装置３０からのポーリングに応じて、アップリンク情報記憶領域Ｍに記憶されているアップリンク情報を、路側無線装置２０を介してセンター装置３０に送信する（ステップＴ１２）。
【０１１７】
センター装置３０において、通信部３５を介してアップリンク情報が受信されると、制御部３１は、通信部３５により路側無線装置２０を介して車載器１０にアップリンク情報開放要求を送信する（ステップＴ１３）。制御部４は、センター装置３０から送信されたアップリンク情報開放要求を路側無線装置２０を介して受信すると、ステップＴ１０においてアップリンク情報記憶領域Ｍに書き込んだアップリンク情報を削除するとともに、記憶部１ｆに記憶された過去立ち寄り地情報、受信／再生履歴情報、会員情報のうち、ステップＴ１０においてアップリンク情報記憶領域Ｍに書き込んだ情報を削除する（ステップＴ１４）。
なお、記憶部１ｆに記憶されたアップリンク済みの過去立ち寄り地情報、受信／再生履歴情報、会員情報については、削除せずにアップリンク済みであることを示すフラグ等を立てて保存するように管理してもよい。この場合、次にアップリンク情報記憶領域Ｍにアップリンク情報を書き込む際、制御部４は、アップリンク済みで内容が同じの情報は書き込まないように制御する。
【０１１８】
センター装置の制御部３１は、通信部３５によりアップリンク情報を受信すると、受信したアップリンク情報の受信／再生履歴情報を参照し、アンケート該当の情報コードが再生履歴に存在するか否かを判断する（図１９ステップＴ１５）。具体的には、受信／再生履歴情報に含まれる再生識別フラグ「１」が対応した情報コード（再生済情報コードと呼ぶ）を抽出し、抽出した再生済情報コードのそれぞれをアンケートＤＢ３４３に格納されているアンケート該当情報コードと比較し、一致した情報コードを再生履歴に含まれるアンケート該当情報コードとして抽出する。
【０１１９】
アンケート該当の情報コードが再生履歴に存在しないと判断した場合（ステップＴ１５；ＮＯ）、制御部４は、ステップＴ１６以降の処理をスキップしてステップＴ２７の処理に移行する。
【０１２０】
アンケート該当の情報コードが再生履歴に存在すると判断した場合（ステップＴ１５；ＹＥＳ）、制御部３１は、再生履歴に存在するアンケート該当の情報コードに応じたアンケート画面（より詳細には、アンケート画面を表示するためのコンテンツ情報）を記憶部３４から読み出して通信部３５により路側無線装置２０を介して車載器１０に送信する（ステップＴ１６）。図２０（ａ）に、ステップＴ１６において車載器１０に送信されるアンケート画面の一例を示す。図２０（ａ）に示すように、アンケート画面には、アンケートの質問等が記載されている。ステップＴ１６で送信されるアンケート画面を表示するためのコンテンツ情報には、ＩＤ０３の「即時再生／蓄積コード」として即時再生を示すコードが格納されており、制御部４は、センター装置３０から受信されたアンケート画面を表示部１ｅに表示する。
【０１２１】
また、センター装置３０の制御部３１は、上述のＩＴＳ情報通信システム推進会議にあるＩＴＳ  ＦＯＲＵＭ  ＲＣ−００４により規定されている、車載器１０におけるＹＥＳ／ＮＯの確認応答を要求するための確認要求コマンドを、通信部３５により車載器１０に送信する（ステップＴ１９）。確認要求コマンドとは  ＹＥＳ／ＮＯの応答をユーザが入力するためのインターフェースの出力を促す情報を含むものである。
センター装置３０からの確認要求コマンドがＤＳＲＣ部３により受信されると、制御部４は、確認要求コマンドに含まれる情報に基づいて、ＹＥＳ／ＮＯの応答用の入力ボタンＢ２をアンケート画面上に表示する（ステップＴ２０）。
【０１２２】
図２０（ｂ）に、応答用の入力ボタンＢ２が表示されたアンケート画面の一例を示す。入力ボタンＢ２は、アンケート画面が見えなくならないように画面一部へ重ねる、若しくは透かしてアンケート画面が確認できるようにする。ＹＥＳ／ＮＯの応答の入力は、入力ボタンＢ２の押下をタッチパネルにより検出して入力するようにしてもよいし、予め機械式のＹＥＳキー、ＮＯキー等を用意しておき、これらのキーの押下により入力するようにしてもよい。
【０１２３】
車載器１０において、入力部１ｄにより応答用の入力ボタンＢ２の何れかが押下され、アンケート画面の質問に対するＹＥＳ又はＮＯの応答が入力されると（ステップＴ２１）、制御部４は、入力に応じた確認応答コマンドを生成し、ＤＳＲＣ３及び路側無線装置２０を介してセンター装置３０に送信する（ステップＴ２２）。
【０１２４】
センター装置３０の制御部３１は、通信部３５により確認応答コマンドが受信されると、受信した確認応答コマンドに基づいてアンケートの回答を集計する（ステップＴ２３）。例えば、確認応答コマンドに「ＹＥＳ」の応答が含まれている場合、制御部３１は、アンケートＤＢ３４３において、ステップＴ１６で送信したアンケート画面の情報コードを有するレコードの「ＹＥＳ」フィールドの数値に１を加算し、確認応答コマンドに「ＮＯ」の応答が含まれている場合、制御部３１は、アンケートＤＢ３４３において、ステップＴ１６で送信したアンケート画面の情報コードを有するレコードの「ＮＯ」フィールドの数値に１を加算する。また、センター装置３０は車載器１０へ確認要求コマンドを送信する際に車載器１０がコマンドを受信してから確認応答をするまでの時間を指示することができセンター装置３０は指示した時間までに確認応答コマンドを受信しない場合はタイムアウトと判断しアンケート集計にカウントしない、もしくは未回答と集計をする。
【０１２５】
次いで、制御部３１は、会員情報ＤＢ３４１において、アップリンク情報の送信元車載器１０の車載器ＩＤに対応するレコードの「取得ポイント」フィールドの値に所定の数を加算することにより特典ポイントの加算を行い（ステップＴ２４）、特典を加算したこと（加算した特典ポイント）を通知する情報（特典加算の通知画面を表示するためのコンテンツ情報）を通信部３５により車載器１０に送信する（ステップＴ２５）。そして、ステップＴ２７の処理に移行する。ステップＴ２５で送信される特典加算の通知情報には、ＩＤ０３の「即時再生／蓄積コード」として即時再生を示すコードが格納されている。
車載器１０の制御部４は、センター装置３０から配信された特典加算の通知情報を受信すると、表示部１ｅに、配信された情報に基づき特典加算の通知画面を表示する（ステップＴ２６）。図２０（ｃ）に、ステップＴ２６において表示部１ｅに表示される特典加算の通知画面の一例を示す。
【０１２６】
なお、ステップＴ１５においてアンケート該当の情報コードが複数存在していた場合、情報コード毎に異なる複数のアンケート画面を送信することとしてもよいし、アンケート該当の全ての情報コードに共通するアンケート画面を一つ用意しておき、共通のアンケート画面を一つ送信するようにしてもよい。また、情報コード毎に複数のアンケート画面を送信する場合には、送信するアンケート画面毎にステップＴ１６〜Ｔ２６の処理を繰り返し実行するようにしてもよいし、センター装置３０において複数のアンケート画面に対しまとめて１回の確認要求コマンドを車載器１０に送信し、１回の確認要求コマンドの受信に応じて制御部４においてアンケート画面毎に応答用入力ボタンＢ２を作成してアンケート画面の受信順に表示し、入力された応答に応じた確認応答コマンドを順次センター装置３０に送信するようにしてもよい。なお、上述のように、センター装置３０は車載器１０へ確認要求コマンドを送信する際に車載器１０がコマンドを受信してから確認応答をするまでの時間を指示することができるが、複数のアンケート画面に対し１回の確認要求コマンドを送信する場合、センター装置３０は、車載器１０に指示する応答時間に応じて、送信するアンケート画面の数を制御する。または、送信するアンケート画面の数に応じて車載器１０に指示する応答時間を制御する。
【０１２７】
ステップＴ２７において、センター装置３０の制御部３１は、車載器１０から受信されたアップリンク情報に基づいて配信するコンテンツ情報を編成し、通信部３５により路側無線装置２０を介して車載器１０に配信する（ステップＴ２７）。
ステップＴ２７においては、例えば、受信したアップリンク情報の嗜好ジャンルデータ等を参照し、記憶部３４に記憶されているコンテンツ情報のうちユーザが嗜好するジャンル項目に分類されるコンテンツ情報等を配信するコンテンツとして選択し、該当するコンテンツ情報を記憶部３４から読み出して車載器１０に配信する。
【０１２８】
コンテンツ情報の配信が終了すると、センター装置３０の制御部３１は、配信終了を通知するメッセージ情報を生成し、通信部３５により路側無線装置２０を介して車載器１０に送信する（ステップＴ２８）。
【０１２９】
車載器１０において、センター装置３０から配信されたコンテンツ情報及び配信終了通知を路側無線装置２０を介して受信すると、車載器１０の制御部４は、全てのコンテンツ情報が揃ったか否か、受信したコンテンツ情報のデータは全て正常か否か等の検査を行い（ステップＴ２９）、受信したコンテンツ情報を記憶部１ｆに保存するとともに、記憶部１ｆに受信履歴を記憶する（ステップＴ３０）。具体的には、記憶部１ｆに記憶されている当該事業者コードのアップリンク情報における受信／再生履歴情報に受信したコンテンツ情報の受信情報コードを書き込む。
【０１３０】
そして、車載器１０の制御部４は、所定のタイミングでコンテンツ情報の再生を行う（ステップＴ３１）。具体的には、記憶部１ｆに記憶されたコンテンツ情報を読み出し、読み出されたコンテンツ情報の「表示用文字データ」、「表示画像データ」に基づいて表示部１ｅに画面を表示し、「表音文字列データ」に基づいて音声出力部１ｇにより音声を出力する。そして、制御部４は、記憶部１ｆに記憶されているアップリンク情報における当該コンテンツ情報の情報コードに対応する再生識別フラグに「１」を設定することによって再生履歴を記憶する。コンテンツ情報の再生（Ｔ３１）は後述する車載器１０が相互通信エリアＺ外に移動した後でも可能である。
【０１３１】
車載器１０が相互通信エリアＺ外に移動することにより（エリアアウト）一定時間以上路側無線装置２０との通信が途絶えると、情報配信の一連の処理は終了する。
【０１３２】
以上説明したように、第２の実施の形態によれば、センター装置３０は、車載器１０から受信したアップリンク情報の受信／再生履歴情報にアンケート対象のコンテンツ情報の再生履歴が含まれているか否かを判断し、含まれていると判断した場合に、アンケート画面及びアンケートに対するＹＥＳ／ＮＯの応答をユーザが入力するためのインターフェースの出力を促す確認要求コマンドを車載器１０に送信する。車載器１０の制御部４は、確認要求コマンドを受信すると、アンケート画面上にＹＥＳ／ＮＯの応答用の入力ボタンＢ２を表示し、ＹＥＳ／ＮＯの応答用の入力ボタンＢ２の何れかが押下されると、入力に応じた確認応答コマンドをセンター装置３０に送信する。センター装置３０は、受信した確認応答コマンドに基づいてアンケートの回答を集計する。
【０１３３】
従って、コンテンツ情報の配信サービスを提供する配信事業者は、指示応答アプリケーションを用いて車載器１０のユーザに視聴したコンテンツ情報についてのアンケートを実施し、アンケート回答を取得することによって、コンテンツの内容の向上のための情報収集を行うことが可能となる。
また、アンケートに回答したユーザに特典ポイントを加算することで、配信事業者は、会員へのサービスを向上させることができる。車載器のユーザは、アンケートに回答することで、特典ポイントを取得することが可能となる。
【０１３４】
［第３の実施の形態］
以下、本発明に係る第３の実施の形態について説明する。
まず、第３の実施の形態の構成を説明する。
第３の実施の形態における各装置の構成、及びコンテンツ情報、アップリンク情報のデータ構成は第１の実施の形態と略同様であるので説明を援用し、第３の実施の形態と異なる部分について説明する。
【０１３５】
第３の実施の形態において、センター装置３０の記憶部３４は、第１の実施の形態で説明したように、制御部３１により実行されるプログラム、プログラムの実行に必要な各種データ、コンテンツ情報の配信事業者に個別に付与されている事業者コード、配信すべきコンテンツ情報、会員ＤＢ３４１を記憶している他、アンケート集計結果を格納するアンケート集計ＤＢ（図示せず）等を記憶している。また、記憶部３４は、情報配信履歴ＤＢ（図示せず）を記憶している。情報配信履歴ＤＢは、コンテンツ情報の配信対象となった車載器１０の車載器ＩＤと配信したコンテンツ情報の情報コードとを対応付けて格納するデータベースである。
【０１３６】
また、センター装置３０及び車載器１０は、ＩＴＳ情報通信システム推進会議にあるＩＴＳ  ＦＯＲＵＭ  ＲＣ−００４により規定された車載器指示応答アプリケーションによる通信機能を搭載しており、路側無線装置２０を介してセンター装置３０から車載器１０に対して確認要求コマンドを通知したり、車載器１０における確認要求コマンドに対する確認応答コマンドをセンター装置３０に送信したりすることが可能である。
【０１３７】
次に、第３の実施の形態における情報配信システム１００の各装置間における動作について説明する。
【０１３８】
図２１〜図２２は、コンテンツ情報を配信する際におけるセンター装置３０、路側無線装置２０、車載器１０のＤＳＲＣ部３及び制御部４における処理の流れを説明するフローチャートである。
図２１に示すように、まず車両Ｃのエンジンが起動し、車載器１０の電源が投入されると（ステップＡ１）、制御部４は車載器１０の特性情報を生成し、記憶部３ｃのアップリンク情報記憶領域Ｍに書き込む（ステップＡ２）。特性情報は、予めセンター装置３０との間で取り決められている項目について制御部４が表示部１ｅ等の各部に問い合わせて取得したり、予め記憶部１ｆに記憶されている情報を読み出す等して取得する。そして、取得された情報を制御部４がコード化し、アップリンク情報記憶領域Ｍの対応する領域に当該コードを書き込む。なお、実際には書き込みを指示する制御情報をＤＳＲＣ制御部３ａに出力し、このＤＳＲＣ制御部３ａがアップリンク情報記憶領域Ｍに書き込む。
【０１３９】
その後、車両Ｃが走行を開始し、路側無線装置２０の相互通信エリアＺに進入すると（エリアイン）、路側無線装置２０は車両Ｃを検出し、車載器１０のＤＳＲＣ部３とＤＳＲＣ通信による接続処理を開始する（ステップＡ３ａ、Ａ３ｂ）。すなわち、ＤＳＲＣの電波を送出し、車載器１０からの応答が得られると、通信路を確立する。通信路を確立すると、路側無線装置２０はセンター装置３０に対し接続が完了した旨の通知情報を送信する（ステップＡ４ａ）。一方、車載器１０のＤＳＲＣ部３は制御部４に対し接続が完了した旨の通知情報を出力する（ステップＡ４ｂ）。
【０１４０】
次いで、ＤＳＲＣ部３はアップリンク情報記憶領域Ｍに書き込まれている特性情報を路側無線装置２０に送信する（ステップＡ５）。特性情報は路側無線装置２０を介してセンター装置３０に送信される。
センター装置３０において、通信部３５により特性情報が受信されると、制御部３１は、受信した特性情報に含まれる車載器ＩＤに基づいて車載器１０のユーザが配信サービスの会員か否かの会員認証を行い、認証結果を一時的に記憶する（ステップＡ６）。具体的には会員情報ＤＢ３４１に登録されている配信サービスの全会員の車載器ＩＤのうち、受信した車載器ＩＤと一致するものがある場合は会員と判断し、受信した車載器ＩＤと一致するものがない場合は、非会員であると判断する。
【０１４１】
次いで、センター装置３０の制御部３１は、通信部３５により路側無線装置２０を介してデフォルトのコンテンツ情報を車載器１０に配信する（ステップＡ７）。デフォルトのコンテンツ情報としては、例えば、コンテンツ情報の配信開始を示すＷｅｌｃｏｍｅ画面情報等が挙げられる。  
【０１４２】
次いで、センター装置３０の制御部３１は、記憶部３４に記憶されている情報配信履歴ＤＢを参照し（ステップＡ８）、受信した車載器ＩＤの情報配信履歴が存在するか否かを判断する。受信した車載器ＩＤの情報配信履歴が存在すると判断した場合（ステップＡ９；ＹＥＳ）、制御部３１は、アンケート画面（より詳細には、アンケート画面を表示するためのコンテンツ情報）を記憶部３４から読み出して通信部３５により路側無線装置２０を介して車載器１０に送信する（ステップＡ１０）。ステップＡ１０で送信されるアンケート画面を表示するためのコンテンツ情報には、ＩＤ０３の「即時再生／蓄積コード」として即時再生を示すコードが格納されており、制御部４は、センター装置３０から受信されたアンケート画面を表示部１ｅに表示する。
【０１４３】
アンケート画面は、例えば、過去に配信事業者が配信したコンテンツ情報全般について、役に立ったか否かを問い合わせる画面等が挙げられる。また、センター装置３０が予め定められた地点に位置する路側無線装置２０とのみ接続されている場合、情報配信履歴が記憶されている車載器１０は、過去に同じ地点に立ち寄ったことがあるということになる。例えば、センター装置３０が或るショッピングセンターの駐車場に設置されている路側無線装置２０とのみ接続されている場合には、センター装置３０に情報配信履歴が記憶されている車載器１０は、過去にそのショッピングセンターに立ち寄ったことがあるということになる。そこで、このような場合に、路側無線装置２０が設置されている地点の施設に関する評価を問い合わせる画面等をアンケート画面としてもよい。また、センター装置３０が複数地点に存在する複数の路側無線装置２０と接続されている場合には、路側無線装置２０毎に情報配信履歴ＤＢを用意しておき、現在車載器１０とセンター装置３０との中継を行っている路側無線装置２０についての情報配信履歴ＤＢに当該車載器１０の情報配信履歴があるか否かを判断することにより、過去にその車載器１０が当該路側無線装置２０が設置された地点に立ち寄ったことがあるか否かを判断することができる。そこで、過去に立ち寄ったことがある車載器１０に対し、その地点にある施設についてのアンケート画面等を送信することができる。
【０１４４】
次いで、センター装置３０の制御部３１は、上述のＩＴＳ情報通信システム推進会議にあるＩＴＳ  ＦＯＲＵＭ  ＲＣ−００４により規定されている、車載器１０におけるＹＥＳ／ＮＯの確認応答を要求するための確認要求コマンドを、通信部３５により車載器１０に送信する（ステップＡ１３）。確認要求コマンドは、ＹＥＳ／ＮＯの応答をユーザが入力するためのインターフェースの出力を促す情報を含むものである。
センター装置３０からの確認要求コマンドがＤＳＲＣ部３により受信されると、制御部４は、確認要求コマンドに含まれる情報に基づいて、ＹＥＳ／ＮＯの応答用の入力ボタンＢ２を表示部１ｅのアンケート画面上に表示する（ステップＡ１４）。
【０１４５】
車載器１０において、入力部１ｄにより応答用の入力ボタンＢ２のいずれかが押下され、アンケート画面の質問に対するＹＥＳ又はＮＯの応答が入力されると（ステップＡ１５）、制御部４は、入力に応じた確認応答コマンドを生成し、ＤＳＲＣ３及び路側無線装置２０を介してセンター装置３０に送信する（ステップＡ１６）。
【０１４６】
センター装置３０の制御部３１は、通信部３５により確認応答コマンドが受信されると、受信した確認応答コマンドに基づいてアンケートの回答を集計する（ステップＡ１７）。例えば、確認応答コマンドに「ＹＥＳ」の応答が含まれている場合、制御部３１は、記憶部３４に記憶されているアンケート集計結果ファイルの「ＹＥＳ」のカウント数に１を加算し、確認応答コマンドに「ＮＯ」の応答が含まれている場合、制御部３１は、記憶部３４に記憶されているアンケート集計結果の「ＮＯ」のカウント数に１を加算する。また、センター装置３０は車載器１０へ確認要求コマンドを送信する際に車載器１０がコマンドを受信してから確認応答をするまでの時間を指示することができセンター装置３０は指示した時間までに確認応答コマンドを受信しない場合はタイムアウトと判断しアンケート集計にカウントしない、もしくは未回答と集計をする。
【０１４７】
次いで、制御部３１は、ステップＡ６で実施された会員認証の結果に基づき車載器１０のユーザが会員であるか非会員であるかを判断し、非会員であると判断すると（図２２ステップＡ１８；ＮＯ）、ステップＡ３０の処理に移行する。
【０１４８】
車載器１０のユーザが会員であると判断すると（ステップＡ１８；ＹＥＳ）、制御部３１は、会員情報ＤＢ３４１において、アップリンク情報の送信元車載器１０の車載器ＩＤに対応するレコードの「取得ポイント」フィールドの値に所定の数を加算することにより特典ポイントの加算を行い（ステップＡ１９）、特典を加算したこと（加算した特典ポイント）を通知する情報（特典加算の通知画面を表示するためのコンテンツ情報）を通信部３５により車載器１０に送信する（ステップＡ２０）。ステップＡ２０で送信される特典加算の通知情報には、ＩＤ０３の「即時再生／蓄積コード」として即時再生を示すコードが格納されている。そして、制御部３１は、車載器１０に対し定期的にポーリングを行って（ステップＡ２３、Ａ２６）、アップリンク情報記憶領域Ｍに書き込まれたアップリンク情報の送信を要求する。
【０１４９】
車載器１０においては、制御部４は、センター装置３０から配信された特典加算の通知情報を受信すると、表示部１ｅに、配信された情報に基づき特典加算の通知画面を表示する（ステップＡ２１）。
【０１５０】
一方、ステップＡ９において、受信した車載器ＩＤの情報配信履歴が存在しないと判断した場合（ステップＡ９；ＮＯ）、センター装置３０の制御部３１は、ステップＡ６において実施された会員認証の結果に基づき車載器１０のユーザが会員であるか非会員であるかを判断し、非会員であると判断すると（ステップＡ２２；ＮＯ）、ステップＡ３０の処理に移行する。  
【０１５１】
車載器１０においては、制御部４は、受信したデフォルトのコンテンツ情報に含まれる事業者コードと、アップリンク情報に含まれる事業者コードとを照合することにより、通信が確立したセンター装置３０における配信事業者が契約した事業者であるか否かを判断する。契約した事業者ではないと判断すると（ステップＡ２４；ＮＯ）、制御部４は、ステップＡ２５〜Ａ２９の処理をスキップする。即ち、アップリンク情報記憶領域Ｍへのアップリンク情報の書き込みやアップリンク情報の送信は行わない。
【０１５２】
センター装置３０における配信事業者が契約した事業者であると判断すると（ステップＡ２４；ＹＥＳ）、受信したデフォルトのコンテンツ情報に含まれる事業者コードに対応するアップリンク情報を記憶部１ｆから読み出してアップリンク情報記憶領域Ｍに書き込む（ステップＡ２５）。
【０１５３】
ＤＳＲＣ部３は、制御部４によりアップリンク情報の書き込みが行われると、センター装置３０からのポーリングに応じて、アップリンク情報記憶領域Ｍに記憶されているアップリンク情報を、路側無線装置２０を介してセンター装置３０に送信する（ステップＡ２７）。
【０１５４】
センター装置３０において、通信部３５を介してアップリンク情報が受信されると、制御部３１は、通信部３５により路側無線装置２０を介して車載器１０にアップリンク情報開放要求を送信する（ステップＡ２８）。制御部４は、センター装置３０から送信されたアップリンク情報開放要求を路側無線装置２０を介して受信すると、ステップＡ２５においてアップリンク情報記憶領域Ｍに書き込んだアップリンク情報を削除するとともに、記憶部１ｆに記憶された過去立ち寄り地情報、受信／再生履歴情報、会員情報のうち、ステップＡ２５においてアップリンク情報記憶領域Ｍに書き込んだ情報を削除する（ステップＡ２９）。
なお、記憶部１ｆに記憶されたアップリンク済みの過去立ち寄り地情報、受信／再生履歴情報、会員情報については、削除せずにアップリンク済みであることを示すフラグ等を立てて保存するように管理してもよい。この場合、次にアップリンク情報記憶領域Ｍにアップリンク情報を書き込む際、制御部４は、アップリンク済みで内容が同じの情報は書き込まないように制御する。
【０１５５】
ステップＡ３０において、センター装置３０の制御部３１は、車載器１０のユーザが会員か非会員かの認証結果、及び会員である場合には車載器１０から受信されたアップリンク情報に基づいて、配信するコンテンツ情報を編成し、通信部３５により路側無線装置２０を介して車載器１０に配信する（ステップＡ３０）。
ステップＡ３０においては、車載器１０のユーザが非会員である場合には、電車の遅延情報、納税通知情報等の公共の広告情報等の非会員用のコンテンツ情報を記憶部３４から読み出して配信する。また、会員になるとポイントがもらえる旨を通知する画面を表示するコンテンツ情報を配信してもよい。車載器１０のユーザが会員である場合には、例えば、受信したアップリンク情報の嗜好ジャンルデータ等を参照し、記憶部３４に記憶されているコンテンツ情報のうちユーザが嗜好するジャンル項目に分類されるコンテンツ情報等を配信するコンテンツとして選択し、該当するコンテンツ情報を記憶部３４から読み出して車載器１０に配信する。
【０１５６】
コンテンツ情報の配信が終了すると、センター装置３０の制御部３１は、配信終了を通知するメッセージ情報を生成し、通信部３５により路側無線装置２０を介して車載器１０に送信する（ステップＡ３１）。また、センター装置３０の制御部３１は、車載器ＩＤ及び配信したコンテンツ情報の情報コードを情報配信履歴ＤＢに記録する（ステップＡ３２）。
【０１５７】
車載器１０において、センター装置３０から配信されたコンテンツ情報及び配信終了通知を路側無線装置２０を介して受信すると、車載器１０の制御部４は、全てのコンテンツ情報が揃ったか否か、受信したコンテンツ情報のデータは全て正常か否か等の検査を行い（ステップＡ３３）、受信したコンテンツ情報を記憶部１ｆに保存するとともに、契約事業者のコンテンツ情報である場合には記憶部１ｆに受信履歴を記憶する（ステップＡ３４）。具体的には、記憶部１ｆに記憶されている当該事業者コードのアップリンク情報における受信／再生履歴情報に受信したコンテンツ情報の受信情報コードを書き込む。
【０１５８】
そして、車載器１０の制御部４は、所定のタイミングでコンテンツ情報の再生を行う（ステップＡ３５）。具体的には、記憶部１ｆに記憶されたコンテンツ情報を読み出し、読み出されたコンテンツ情報の「表示用文字データ」、「表示画像データ」に基づいて表示部１ｅに画面を表示し、「表音文字列データ」に基づいて音声出力部１ｇにより音声を出力する。そして、制御部４は、契約事業者のコンテンツ情報を再生した場合には記憶部１ｆに記憶されているアップリンク情報における当該コンテンツ情報の情報コードに対応する再生識別フラグに「１」を設定することによって再生履歴を記憶する。
【０１５９】
車載器１０が相互通信エリアＺ外に移動することにより（エリアアウト）一定時間以上路側無線装置２０との通信が途絶えると、情報配信の一連の処理は終了する。
【０１６０】
以上説明したように、第３の実施形態によれば、センター装置３０は、会員であるか否かに拘わらず、過去にコンテンツ情報を配信した履歴のある車載器１０に対してアンケート画面及びアンケートに対するＹＥＳ／ＮＯの応答をユーザが入力するためのインターフェースの出力を促す確認要求コマンドを車載器１０に送信する。車載器１０の制御部４は、確認要求コマンドを受信すると、アンケート画面上にＹＥＳ／ＮＯの応答用の入力ボタンＢ２を表示し、ＹＥＳ／ＮＯの応答用の入力ボタンＢ２の何れかが押下されると、入力に応じた確認応答コマンドをセンター装置３０に送信する。センター装置３０は、受信した確認応答コマンドに基づいてアンケートの回答を集計する。
【０１６１】
従って、コンテンツ情報の配信サービスを提供する配信事業者は、指示応答アプリケーションを用いて会員／非会員の区別なく、過去にコンテンツ情報を配信したことのある車載器１０のユーザにアンケートを実施し、アンケート回答を取得することによって、コンテンツの内容の向上のための情報収集を行うことが可能となる。
また、アンケートに回答した会員ユーザに特典ポイントを加算することで、配信事業者は、会員へのサービスを向上させることができる。
【０１６２】
以上、第１〜第３の実施の形態について説明してきたが、上記実施の形態は本発明の好適な一例であり、これに限定されない。
例えば、上記第１の実施の形態においては、タッチパネルが一体となった入力インターフェース画面Ｇ２にキーボード画面を表示し、キーボードのキータッチによりコメント情報を入力することとして説明したが、コメント情報の入力手段としては、これに限定されない。例えば、入力部１ｄに、音声を入力するマイク及び入力された音声を認識してテキスト情報に変換する音声認識装置を備える構成とし、音声によりコメント情報を入力する構成としてもよい。また、入力部１ｄにキーボードを備え、キーボードからコメント情報を入力する構成としてもよい。
【０１６３】
その他、情報配信システム１００を構成する各装置の細部構成及び細部動作に関しても、発明の趣旨を逸脱することのない範囲で適宜変更可能である。
【図面の簡単な説明】
【０１６４】
【図１】本実施形態における情報配信システムを示す図である。
【図２】図１の路側無線装置の相互通信エリアを説明する図である。
【図３】図１の車載器の機能的構成を示すブロック図である。
【図４】アップリンク情報のデータ構成例を示す図である。
【図５】アップリンク情報の基本情報をセンター装置に送信する際のデータフォーマットを示す図である。
【図６】図１のセンター装置の機能的構成を示すブロック図である。
【図７】図５の会員情報ＤＢのデータ格納例を示す図である。
【図８】図５のコメントＤＢのデータ格納例を示す図である。
【図９】図１のセンター装置により配信されるコンテンツ情報のデータ構成例を示す図である。
【図１０】第１の実施の形態の情報配信システムにおいてコンテンツ情報を配信する際における各装置間の処理の流れを説明する図である。
【図１１】第１の実施の形態の情報配信システムにおいてコンテンツ情報を配信する際における各装置間の処理の流れを説明する図である。
【図１２】図６の制御部３１により実行される特典加算処理を示すフローチャートである。
【図１３】図６の制御部３１により実行されるコンテンツ再生処理を示すフローチャートである。
【図１４】図１３のステップＳ２０３において表示部１ｅに表示される画面の一例を示す図である。
【図１５】図１３のステップＳ２０６において表示部１ｅに表示される入力インターフェース画面の一例を示す図である。
【図１６】アップリンク情報記憶領域の会員情報領域１〜８へのコメント情報の書き込みの一例を示す図である。
【図１７】第２の実施の形態において使用されるアンケートＤＢのデータ格納例を示す図である。
【図１８】第２の実施の形態の情報配信システムにおいてコンテンツ情報を配信する際における各装置間の処理の流れを説明する図である。
【図１９】第２の実施の形態の情報配信システムにおいてコンテンツ情報を配信する際における各装置間の処理の流れを説明する図である。
【図２０】第２の実施の形態において図３の表示部１ｅに表示される画面例を示す図である。
【図２１】第３の実施の形態の情報配信システムにおいてコンテンツ情報を配信する際における各装置間の処理の流れを説明する図である。
【図２２】第３の実施の形態の情報配信システムにおいてコンテンツ情報を配信する際における各装置間の処理の流れを説明する図である。
【符号の説明】
【０１６５】
１００  情報配信システム
１０  車載器
１  カーナビ部
１ａ  カーナビ制御部
１ｂ  現在地検出部
１ｃ  地図記憶部
１ｄ  入力部
１ｅ  表示部
１ｆ  記憶部
１ｇ  音声出力部
２  通信モジュール
３  ＤＳＲＣ部
３ａ  ＤＳＲＣ制御部
３ｂ  通信部
３ｃ  記憶部
Ｍ  アップリンク情報記憶領域
３ｅ  ＥＴＣ処理部
３ｆ  ＩＣカードＩ／Ｆ
４  制御部
２０  路側無線装置
３０  センター装置
３１  制御部
３２  入力部
３３  表示部
３４  記憶部
３４１  会員情報ＤＢ
３４２  コメントＤＢ
３５  通信部
【図１】
0005082977.tif 000002
【図２】
0005082977.tif 000003
【図３】
0005082977.tif 000004
【図４】
0005082977.tif 000005
【図５】
0005082977.tif 000006
【図６】
0005082977.tif 000007
【図７】
0005082977.tif 000008
【図８】
0005082977.tif 000009
【図９】
0005082977.tif 000010
【図１０】
0005082977.tif 000011
【図１１】
0005082977.tif 000012
【図１２】
0005082977.tif 000013
【図１３】
0005082977.tif 000014
【図１４】
0005082977.tif 000015
【図１５】
0005082977.tif 000016
【図１６】
0005082977.tif 000017
【図１７】
0005082977.tif 000018
【図１８】
0005082977.tif 000019
【図１９】
0005082977.tif 000020
【図２０】
0005082977.tif 000021
【図２１】
0005082977.tif 000022
【図２２】
0005082977.tif 000023